(57)【要約】【課題】開封前においては蓋部材とプラグ部材が一体的に形成されており、確実な密封性を有すると共に、易開封性及びリシール性を有する易開封性容器の開封機構を提供する。【解決手段】易開封性容器の開封機構において、開口予定部と、該開口予定部に嵌合するプラグ予定部とが一体的に形成され、前記プラグ予定部外周部には前記開口予定部と該プラグ予定部の間で開封するための弱化部が形成されている開封構造部材、及び前記プラグ予定部に備えられた開封具から成ることを特徴とする。【選択図】図１
2015151152.tif 000002
【特許請求の範囲】
【請求項１】
開口予定部と、該開口予定部に嵌合するプラグ予定部とが一体的に形成され、前記プラグ予定部外周部には前記開口予定部と該プラグ予定部の間で開封するための弱化部が形成されている開封構造部材、及び前記プラグ予定部に備えられた開封具から成ることを特徴とする易開封性容器の開封機構。
【請求項２】
前記開口予定部とプラグ予定部の間に折り重ね部が形成されている請求項１記載の開封機構。
【請求項３】
前記開封構造部材が、金属製である請求項１又は２記載の開封機構。
【請求項４】
前記開封構造部材が、外周部に巻締め加工部を有する容器蓋である請求項１〜３の何れかに記載の開封機構。
【請求項５】
前記開封具が、接着剤又は熱接着によってプラグ予定部に結合されている請求項１〜４の何れかに記載の開封機構。
【請求項６】
前記開封具が、リベット構造によってプラグ予定部に結合されている請求項１〜４の何れかに記載の開封機構。
【請求項７】
弱化部の一部が開口予定領域内部と外部とをつなぐヒンジ部となっている請求項１〜６の何れかに記載の開封機構。
【請求項８】
前記開封具が、プラグ予定部及び該プラグ予定部を除く開封構造部材に結合されており、前記弱化部が破断されプラグが開封構造部材から分離した後においても前記開封具及びプラグが開封構造部材から脱離しない請求項１〜６の何れかに記載の開封機構。
【請求項９】
前記弱化部が破断され開封された後、プラグを開口部に嵌合させることによりリシールされる請求項１〜８の何れかに記載の開封機構。
【発明の詳細な説明】
【技術分野】
【０００１】
本発明は、易開封性容器の開封機構に関するものであり、より詳細には缶体等の容器に取り付けられ、易開封性を有すると共に、レトルト殺菌にも対応可能なリシール性を有する開封機構に関する。
【背景技術】
【０００２】
易開封性容器蓋（イージーオープン蓋）は、食品や飲料等を内容物とする食品容器の蓋として広く使用されており、特に飲料缶等においては、環境性等の点から開封後も破断開口片が容器口から切り離されないステイオンタブタイプの易開封性容器蓋が使用されている。しかしながら、一般的なステイオンタブの易開封性容器蓋においては、一旦開封した後、リシールすることができない。
このような問題を解決するため、予め形成された開口に、可撓性タブと該タブ部材に接着一体化される蓋部材の開口に嵌合可能に形成されたプラグ部材とからなるリシール性を有する易開封性容器蓋が提案されている（特許文献１〜３）。
【先行技術文献】
【特許文献】
【０００３】
【特許文献１】特開２００４−２６２４６６号公報
【特許文献２】特開２００５−８８９５９号公報
【特許文献２】特開２００５−８８９６０号公報
【発明の概要】
【発明が解決しようとする課題】
【０００４】
上記易開封性容器蓋は、通常の使用においては易開封性及び密封性を有すると共に、リシール後の密封性も確保できるが、レトルト殺菌のように高温高湿条件下におかれる場合には、密封性の点で未だ充分満足するものではなかった。すなわち、上記易開封性容器蓋では、プラグ部材が容器蓋を構成する部材とは別の部材で構成され、容器蓋に予め形成された開口にプラグ部材を嵌合して密封し、開口に嵌合したプラグ部材の上から可撓性タブを容器蓋にヒートシールしてプラグ部材を覆うことにより、密封性を高めていた。このため、レトルト殺菌等に賦され、容器の内外で一定以上の圧力差が生じた場合に、可撓性タブのヒートシールが不十分であると、水分を吸い込んでしまったり、或いは内容物が漏れてしまうおそれがあった。
【０００５】
従って本発明の目的は、開封前においては容器蓋等の開封構造物とプラグ部材が一体的に形成されており、容器内外で圧力差が生じた場合でも確実な密封性を有すると共に、易開封性及びリシール性を有する易開封性容器の開封機構を提供することである。
【課題を解決するための手段】
【０００６】
本発明によれば、開口予定部と、該開口予定部に嵌合するプラグ予定部とが一体的に形成され、前記プラグ予定部外周部には前記開口予定部と該プラグ予定部の間で開封するための弱化部が形成されている開封構造部材、及び前記プラグ予定部に備えられた開封具から成ることを特徴とする易開封性容器の開封機構が提供される。
【０００７】
本発明の易開封性容器の開封機構においては、
１．前記開口予定部とプラグ予定部の間に折り重ね部が形成されていること、
２．前記開封構造部材が、金属製であること、
３．前記開封構造部材が、外周部に巻締め加工部を有する容器蓋であること、
４．前記開封具が、接着剤又は熱接着によってプラグ予定部に結合されていること、
５．前記開封具が、リベット構造によってプラグ予定部に結合されていること、
６．前記開封構造部材が、弱化部の一部が開口予定領域内部と外部とをつなぐヒンジ部となっていること、
７.  前記開封具が、プラグ予定部及び該プラグ予定部を除く開封構造部材に結合されており、前記弱化部が破断されプラグが開封構造部材から分離した後においても前記開封具及びプラグが開封構造部材から脱離しないこと、
８．前記弱化部が破断され開封した後、プラグを開口部に嵌合させることによりリシールされること、
となっていることが好適である。
【発明の効果】
【０００８】
本発明の易開封性容器の開封機構においては、易開封性容器に使用される容器蓋等の開封構造部材とプラグ部材が一体に成形され、開口の形成と同時にプラグが形成され、弱化部がスコアとして形成されている場合、開口形成前においては開封構造部材に容器内外を連通する間隙が一切存在しないことから、レトルト殺菌等により容器内外に圧力差が生じても、従来の開口が予め形成されている易開封性容器蓋のように水分の吸い込みや内容物の漏洩のおそれが全くない。
また開封具を操作することにより弱化部が破断され、開口及びプラグの形成を容易に行うことができ、易開封性に優れている。
更に開封構造部材の開口予定部及びプラグ予定部が弱化部によって区画され、この弱化部により区画される開口及びプラグの形状が完全に合致しており、リシール時の密封性にも顕著に優れている。
更にまた、開口予定部とプラグ予定部の間に折り重ね部を形成することにより、弱化部の破断後に形成される開口端縁がカール部となっており、内容物注出の際の飲み口の安全性が確保されている。
【図面の簡単な説明】
【０００９】
【図１】本発明の開封構造部材の一例である易開封性容器蓋の開封前の側断面図である。
【図２】図１に示す容器蓋の開口予定部及びプラグ予定部の部分を説明するための拡大図である。
【図３】図１に示す容器蓋の開封後の側断面図である。
【図４】図１に示す容器蓋における開口予定部及びプラグ予定部の形成方法を説明するための図である。
【図５】図１に示す容器蓋における開封機構の他の態様を示す側面図（Ａ）及び部分平面図（Ｂ）である。
【図６】図５に示す容器蓋の開封後の側断面図である。
【発明を実施するための形態】
【００１０】
（開封機構）
本発明の易開封性容器の開封機構は、缶体等の容器に取り付けられる開封構造部材（容器蓋等）において、内容物取出しのための開口と、この開口を封止するためのプラグが、開口形成前の開口予定部とプラグ予定部の状態において一体的に形成され、プラグ予定部外周部に開封予定部とプラグ予定部の間で開封するための弱化部が形成されていることが重要な特徴である。
【００１１】
本発明の易開封性容器の開封機構を、開封構造部材としてシームレス缶等の開口端部に巻締め加工により一体化される易開封性容器蓋を用いて詳細に説明する。
図１は、本発明の開封構造部材の一例である易開封性容器蓋の側断面を示す図であり、図２は、開口予定部及びプラグ予定部の構成を説明するための拡大図であり、図３は、図１に示した容器蓋の開封状態を説明するための図である。
図１において、容器蓋１は、蓋部材１０、及び蓋部材１０とは別途成形され、蓋部材に取り付けられる開封具２０から成っている。また蓋部材１０は、中央パネル部１１、強化環状溝１２及び最外周の巻締め加工部１３から成り、中央パネル部１１に、開口予定部１４及びプラグ予定部１５が一体的に形成されている。
【００１２】
図２から明らかなように、開口形成前の状態においては、開口予定部１４及びプラグ予定部１５は合致した位置にあり、プラグ予定部が取り除かれることにより開口が形成される関係にある。
本発明においては、開口予定部１４の外周部分１４ａにおいて、蓋部材１０を構成する金属板が、蓋部材１０の外面となる側に３重に折り重なるように２回折り曲げられ、折り重ね部１６を形成している。折り重ね部１６の外側の金属板には、プラグ予定部１５を区画するための破断可能な環状スコア１７が形成されており、この環状スコア１７を破断することにより、プラグ予定部１５を蓋部材から切り離し、開口及びプラグが形成される。
また図に示す具体例においては、プラグ予定部１５は、折り重ね部１６の環状スコア１７よりも内側に位置する環状部１５ａ、環状部１５ａの内縁から下方に延びる環状側壁１５ｂ及び環状側壁１５ｂの下端から内方に延びる底部１５ｃから成り、環状側壁１５ｂは、開口予定部１４の外周部分１４ａに形成されたカール部１４ｂに嵌合密着しており、プラグ形成後は、プラグの環状側壁１５ｂとカール部１４ｂとの間でシール部を形成し、リシール時のプラグによる密封性を確保する。
【００１３】
開封具２０は、プラグ予定部に強固に接着され、これを引っ張ることにより、環状スコアを切断し、蓋部材からプラグを取り除くことができる限り、その形状は問わないが、図に示す具体例においては、環状スコア１７の破断開始点（図２における１７ａ）側に折り返し部２０１を介して一体に成形された固定部２０２及び把持部２０３から成り、これらは折り重なった状態で蓋部材１０の中央パネル部１１に固定される。また固定部２０２及び把持部２０３は、プラグ予定部の底部１５ｃに対応する部分が切り欠かれ、円形切欠き２０２ａ及び２０３ａが形成されている。
固定部２０２は、プラグ予定部の環状部１５ａに強固に接着されていると共に、破断開始点１７ａと反対側の位置において、中央パネル部１１に強固に接着される固着部２０２ｂを有している。これにより、環状スコア１７が破断され、プラグが中央パネル部１１から取り除かれた状態においても、プラグ１５’は蓋部材１０から離脱することがない。
また把持部２０３は、開封前の状態において蓋部材１０及び固定部２０２に容易に取外し可能に固定されていることが好ましい。図に示す具体例においては、把持部２０３の円形切欠き２０３ａの端縁にカール部２０３ｂが形成されており、このカール部２０３ｂがプラグ予定部１５の環状側壁１５ｂに嵌合することにより、把持部が蓋部材に固定されると共に、把持部２０３は容易に取り外すことが可能になる。またこのような態様以外にも、把持部２０３を固定部２０２より大きく作成し、固定部２０２からはみ出した外周部分を中央パネル部表面に易剥離性を有するように接着する等種々の固定方法を採用できる。
また把持部２０３の端部２０３ｃは、指による把持を容易にするために中央パネル部１１との間に間隙を形成するように、上方に折れ曲がっている。
【００１４】
図３から明らかなように、開封具２０の把持部２０３の端部２０３ｃを把持し、開封具２０を折り返し部２０１の方向に向って引き上げると、把持部２０３のカール部２０３ｂとプラグ予定部の環状側壁１５ｂの嵌合が解除され、把持部２０３が蓋部材１０から離脱する。次いで把持部２０３を上方且つ固定部の固着部２０２ｂ方向に引き上げることにより、破断開始点１７ａから環状スコア１７が破断して、プラグ１５’が開封具２０の固定部２０２と一体となって、開口予定部１４から取り除かれ、開口１４’及びプラグ１５’が形成される。
この際、前述した通り、開封具２０は固定部２０２の固着部２０２ｂにおいて中央パネル部１１に離脱することなく固定されているので、プラグ１５’が開口１４’から取外されても、開封具２０は蓋部材１０から離脱することがなく、プラグの紛失を防止できる。また開封具２０の把持部２０３に円形切欠き２０３ａが形成され、特にその端縁がカール加工されていることにより、環状スコア１７を破断する際に円形切欠き２０３ａに指を掛けることができ、環状スコア１７の破断がより容易になる。
尚、破断可能な弱化部は、開封具を引き上げることにより破断可能である限り、図に示した環状スコアに限定されず、ミシン目状等であってもよい。またスコアの幅や深さ等は用いる材料の厚さに応じて適宜設定することができる。
図１〜３に示した容器蓋においては、巻締め加工部１３を有しており、図３に示されるように、缶体４０の端部に巻締め加工を施されて使用される。
【００１５】
（開封機構の成形方法）
前述した通り、本発明の易開封性容器の開封機構においては、開封前の開口予定部とプラグ予定部の間に容器の内外に連通する一切の間隙が形成されないように、樹脂被覆金属板等の単一の材料から開口予定部とプラグ予定部が一体的に形成されていることが重要である。
図１〜３を用いて、シームレス缶等の缶体の開口端に巻締め加工により固定される容器蓋において本発明の開封機構が適用された態様を説明したが、この態様においては、蓋部材の中央パネル部に開口予定部及びプラグ予定部が形成され、開口予定部の外周部分において、金属板が３重に折り重なるように折り重ね部が形成されていると共に、折り重ね部で囲まれた部分を容器蓋の内面側方向に凹ませてプラグ予定部が形成されている。また折り重ね部の最上部の金属板に破断可能な環状スコアを形成し、この環状スコアを破断することによりプラグ予定部が開口予定部から取り外し可能に成形されている。
【００１６】
図４は、図１〜３を用いて説明した容器蓋における開封機構の成形方法を説明するための図である。
図４（Ａ）に示すように、従来公知の成形方法により、中央パネル部１１、強化環状溝１２及び巻き締め加工部１３を有する蓋部材１０を成形する。次いで、蓋部材の１０の中央パネル部１１に数回絞り加工を行うことにより、上方に突出する天面３１及び側壁３２から成るカップ型形状３０を成形する（図４（Ｂ））。このカップ型形状３０の天面３１の中央部分を上方からプレスしてプラグ予定部となる凹部３３を形成する(図４（Ｃ）)。次いでカップ型形状３０の天面の凹部３３の外周部分３４にカッターＣを用いて環状スコア１７を形成する（図４（Ｄ））。
次いで、図４（Ｅ）に示すように、上型Ｍ１及び下型Ｍ２を用いて、凹部３３が形成されたカップ型形状３０を上部から押圧する。これによりカップ型形状３０の側壁３２の付け根付近の中央パネル部が内方に押し込まれると共に、カップ型形状３０の側壁が折畳まれて（図４（Ｆ））、開口予定部の外周部分のカール部１４ａが形成されると共に折り重ね部１６が形成され、プラグ予定部が開口予定部に嵌合された状態の開封機構を成形することができる（図４（Ｇ））。
【００１７】
本発明において、開封機構は適用すべき容器の形状や内容物の種類によって、形成すべき開口の大きさや、開口予定部の形成位置を適宜設定することができるが、好適には、内容物の注出性の観点から、開口の形成位置を図１に示した容器蓋のように中央パネル部の中心から偏心した位置に開口予定部及びプラグ予定部を形成することが好ましい。このような偏心位置に開口予定部を形成する方法としては、上述した成形方法のように、蓋部材を先に形成し、この蓋部材の中央パネル部の偏心位置に開口予定部及びプラグ予定部を直接成形してもよいし、或いは金属板に開口予定部及びプラグ予定部を形成するためのカップ型形状を成形し、形成すべき開口予定部の位置に合わせて金属板を円形に打ち抜いた後、開封機構の成形工程又は巻締め加工部等の成形工程をこの順序で或いは逆の順序、或いは同時に行うことにより成形することもできる。
【００１８】
（開封構造部材）
開封機構を形成する開封構造部材は、開口予定部及びプラグ予定部を一体成形可能である限りその材質は特に限定されないが、プラグの開口への嵌合を確実にする点からは、アルミニウム板、鋼板等の従来容器蓋に用いられていた金属板、特にこれらの金属板にポリエステル樹脂等の熱可塑性樹脂から成る被覆が施された樹脂被覆金属板または熱硬化性樹脂からなる塗膜が形成された塗装金属板などを好適に使用することができる。
【００１９】
（開封具）
開封具は、可撓性を有する材料からなることが好ましく、これに限定されないが、金属箔の両面に樹脂層が形成された積層体からなるものが、引き剥がしに際して破断や伸びを生じることがなく、可撓性と開封性のバランスに優れている。
プラグ予定部への開封具の接合方法は、特に限定されず、従来公知の接合方法を全て使用することができる。好適には、接着剤を用いた接合方法や、開封具及びプラグ予定部又開封構造物（容器蓋等）の接合面を互いに溶着可能な樹脂被覆を形成して加熱接着する方法等を挙げることができる。
【００２０】
また開封具としては、金属板を曲げ加工して成形したタブを用いることもでき、このようなリジットな開封具においては、リベット構造によりプラグ予定部に固着することができる。
すなわち、図５に示すように、プラグ予定部１５にはリベット形成用凸部１８が形成されていると共に、タブ５０の固定部５０１にこのリベット形成用凸部１８に嵌合可能なリベット穴５１が形成されており、リベット形成用凸部１８が押し潰されることによってタブ５０の固定部５０１がプラグ予定部１５にリベット固定されている。
また図５及び６に示すように、この態様においては、プラグ予定部１５を区画するための破断可能な環状スコア１７が、破断開始点と反対側の位置において形成されておらず、プラグ予定部の環状部１５ａと開口の外周部分（カール部）１４ａをつなぐ連結部１９が形成されている。この連結部１９は、タブ５０の把持部５０２が引き起こされると共に引き上げられ、弱化部１７が破断されると、プラグ１５’のヒンジとしての機能を奏し、プラグ１５’は蓋部材から取り外されることなく、リシール可能になる。
図に示した具体例では、開封具は、開封しやすさの観点から、固定部と把持部が折り重なり、プラグ予定部の底部に対応した切り欠きを有する形状をしていたが、勿論これに限定されず、従来公知の短冊状の切り欠きのないタブを用いてもよい。また、円形切欠きに形成したカール部も、円形切欠き端縁に樹脂被覆を施して端縁保護を行ったものであってもよい。
【００２１】
（易開封容器）
本発明の開封機構を有する開封構造部材を適用可能な易開封性容器は、図に示したシームレス缶等の金属缶体に限定されず、例えば、プラスチック製のボトル、カップ、トレイや、紙を含む積層体から成る容器等でもよく、これらの場合には、本発明の開封構造部材を容器の開口端部に溶着等の従来公知の手段で固着することができる。
【産業上の利用可能性】
【００２２】
本発明の易開封性容器の開封機構は、密封性及び易開封性に優れており、全ての易開封性容器に好適に使用できるが、特に開口形成前においては開封構造部材に容器内外を連通する間隙が一切存在せず、レトルト殺菌等により容器内外に圧力差が生じても、水分の吸い込みや内容物の漏洩が全くないことから、特にレトルト殺菌に賦される容器や、耐圧性容器に好適に使用することができる。
【符号の説明】
【００２３】
１  容器蓋、１１  中央パネル部、１３  巻締め加工部、１４  開口予定部、１５  プラグ予定部、１６  折り重ね部、１７  環状スコア、１８  リベット形成用凸部、１９  連結部、２０  開封具、２０２  固定部、２０３  把持部、４０  容器、５０  タブ。
【図１】
2015151152.tif 000003
【図２】
2015151152.tif 000004
【図３】
2015151152.tif 000005
【図４】
2015151152.tif 000006
【図５】
2015151152.tif 000007
【図６】
2015151152.tif 000008